(57)【要約】【課題】簡単な構造で棚板のずれや外れを防止でき、しかも簡単な構造での棚板の固定により棚板の位置変更が容易にできるようになる棚板の取り付け構造を提供することを課題とする。【解決手段】横片１と縦片２とを有する断面略Ｌ字状の棚受け具３を左右に所定の間隔を隔てて対称に設置する。左右の棚受け具３間に棚板４を架設して棚板４の長手方向の両端を棚受け具３の横片１の上に載置する。棚受け具３の縦片２に棚押さえ具５を着脱自在に取着して棚押さえ具５にて棚板４の上面を押圧する。【選択図】　　　　図１
2004057407.tif 000002
【特許請求の範囲】
【請求項１】
横片と縦片とを有する断面略Ｌ字状の棚受け具を左右に所定の間隔を隔てて対称に設置し、左右の棚受け具間に棚板を架設して棚板の長手方向の両端を棚受け具の横片の上に載置し、棚受け具の縦片に棚押さえ具を着脱自在に取着して棚押さえ具にて棚板の上面を押圧して成ることを特徴とする棚板の取り付け構造。
【請求項２】
棚板と棚受け具の横片との間にクッション材を介装したことを特徴とする請求項１記載の棚板の取り付け構造。
【請求項３】
棚受け具の縦片に上端から差し込み溝を設けると共に棚押さえ具の差し込み部を差し込み溝に差し込んで装着して成ることを特徴とする請求項１または請求項２記載の棚板の取り付け構造。
【請求項４】
棚押さえ具の差し込み部を差し込み溝に差し込んだり、差し込み溝から差し込み部を抜いたりするとき手で持つことができる持ち手部を棚押さえ具に一体に設けたことを特徴とする請求項３記載の棚板の取り付け構造。
【請求項５】
棚押さえ具の差し込み部を差し込み溝に差し込んだり、差し込み溝から差し込み部を抜いたりするとき指を掛けることができる指掛け部を棚押さえ具に設けたことを特徴とする請求項３記載の棚板の取り付け構造。
【請求項６】
棚受け具の縦片に係止穴を設けると共に差し込み溝に差し込み部を差し込んだ状態で棚押さえ具の係止突起を係止穴に係止させ、押圧することで係止突起が係止穴から外れるように変形させることができる操作片を棚押さえ具に設けたことを特徴とする請求項３記載の棚板の取り付け構造。
【発明の詳細な説明】
【０００１】
【発明の属する技術分野】
本発明は、収納ラック等で棚板を取り付ける構造に関するものである。
【０００２】
【従来の技術】
一般に収納ラック等で棚板を取り付ける場合、横片と縦片とを有する断面略Ｌ字状の棚受け具を左右に所定の間隔を隔てて対称に設置し、左右の棚受け具間に棚板を架設して棚板の長手方向の両端を棚受け具の横片の上に載置し、棚板の四隅をビスで棚受け具に固定していた。つまり、棚板をビスで固定することにより、棚板の外れやずれを防止したり、棚板の反りやねじれを矯正したりしている。
【０００３】
【発明が解決しようとする課題】
ところが、上記従来例にあっては、収納ラック等で収納物に合わせて棚板の取り付け位置を変更しようとした際には、ビスの４点全てを取り外し、位置変更後にまた４点のビス止めが必要になるために作業的に手間が大きくなるという問題がある。
【０００４】
本発明は上記の点に鑑みてなされたものであり、簡単な構造で棚板のずれや外れを防止でき、しかも簡単な構造での棚板の固定により棚板の位置変更が容易にできるようになる棚板の取り付け構造を提供することを課題とするものである。
【０００５】
【課題を解決するための手段】
上記課題を解決するための本発明の棚板の取り付け構造は、横片１と縦片２とを有する断面略Ｌ字状の棚受け具３を左右に所定の間隔を隔てて対称に設置し、左右の棚受け具３間に棚板４を架設して棚板４の長手方向の両端を棚受け具３の横片１の上に載置し、棚受け具３の縦片２に棚押さえ具５を着脱自在に取着して棚押さえ具５にて棚板４の上面を押圧して成ることを特徴とする。棚押さえ具５を棚受け具３の縦片２に装着するだけで棚板４を押さえて棚板４を簡単に固定できて棚板４のずれや外れを防止できる。また棚押さえ具５を縦片２に着脱自在に装着して簡単な構造で棚板４を取り付けることができるために棚押さえ具５の着脱だけで棚板４の位置変更が容易にできる。
【０００６】
また棚板４と棚受け具３の横片１との間にクッション材６を介装したことを特徴とすることも好ましい。この場合、クッション材６により棚板４ががたつかないように棚板４を取り付けることができる。
【０００７】
また棚受け具３の縦片２に上端から差し込み溝７を設けると共に棚押さえ具５の差し込み部８を差し込み溝７に差し込んで装着して成ることを特徴とすることも好ましい。この場合、差し込み溝７に差し込み部８を差し込むだけ棚押さえ具５を縦片２に装着することができ、棚押さえ具５の着脱が容易にできる。
【０００８】
また棚押さえ具５の差し込み部８を差し込み溝７に差し込んだり、差し込み溝７から差し込み部８を抜いたりするとき手で持つことができる持ち手部９を棚押さえ具５に一体に設けたことを特徴とすることも好ましい。この場合、持ち手部９を手に持って棚押さえ具５を容易に上下動させることができて棚押さえ具５の着脱操作が容易にできる。
【０００９】
また棚押さえ具５の差し込み部８を差し込み溝７に差し込んだり、差し込み溝７から差し込み部８を抜いたりするとき指を掛けることができる指掛け部１０を棚押さえ具５に設けたことを特徴とすることも好ましい。この場合、指掛け部１０に指を掛けて棚押さえ具５を容易に持つことができ、棚押さえ具５を容易に上下動させることができて棚押さえ具５の着脱操作が容易にできる。
【００１０】
また棚受け具３の縦片２に係止穴１１を設けると共に差し込み溝７に差し込み部８を差し込んだ状態で棚押さえ具５の係止突起１２を係止穴１１に係止させ、押圧することで係止突起１２が係止穴１１から外れるように変形させることができる操作片１３を棚押さえ具５に設けたことを特徴とすることも好ましい。この場合、差し込み溝７に差し込み部８を差し込んで棚押さえ具５を取り付けたとき、係止突起１２が係止穴１１に係止して棚押さえ具５が固定されて棚板４が一層ずれたり外れたりしないようにできる。また上記のように棚押さえ具５を固定できても操作片１３を押圧操作することで係止突起１２を係止穴１１から外して棚押さえ具５を容易に取り外すことができる。
【００１１】
【発明の実施の形態】
建物の部屋の端部は図２、図３に示すようなクローゼットのような収納庫１５を設けてあり、この収納庫１５の奥壁１６と反対の前面の開口には開閉自在な扉４５を装着してある。この収納庫１５内には次のように収納ラックを設置してある。収納庫１５の奥壁１６の上部には水平にレール材１７を沿わせて配置してあり、レール材１７から奥壁１６にビス等の固着具を打入してレール材１７を装着してある。
【００１２】
天枠材１８はレール材１７の取り付けた位置と同じレベルで長手方向が前後方向を向くように配置され、天枠材１８の後端がレール材１７に固着されている。支柱１９は図４に示すように角柱状にアルミニウムのような金属にて形成されており、上下全長に亙って中空部２０が設けてある。この支柱１９には一対のタッピングホール２１を上下全長に亙って設けてあり、天枠材１８の下方で床面に立設した支柱１９の上端面を天枠材１８の下面に当接し、天枠材１８からタッピングホール２１にビス等の固着具を螺入して天枠材１８と支柱１９とを連結してある。この支柱１９を立設する位置は天枠材１８の前後方向の略中間の位置である。天板２２は矩形板状に形成されており、隣り合う天枠材１８間に嵌め込むように取り付けられている。
【００１３】
支柱１９の左右の側面にはこの側面の巾方向の中央の位置で上下全長に亙るように凹溝２３を穿設してあり、この凹溝２３の底面から中空部２０まで貫通するように挿通穴２４が設けてある。この凹溝２３や挿通穴２４を設けた部分の前後である両側には上下全長に亙るように位置決め溝２５を形成してある。この位置決め溝２５には開口の巾が広く奥が狭くなるように傾斜面２６を設けてある。
【００１４】
棚受け具３は金属板を板金加工することで形成されるものであり、横片１と縦片２とで断面略Ｌ字状に形成されている。縦片２の前後方向の中央には断面略逆Ｌ字状の引っ掛け片２７を切り起こしにて形成してあり、引っ掛け片２７の下には凹溝２３の深さと同じ高さの突起２８を突設してある。上記引っ掛け片２７を切り起こすことで開口した部分は係止穴１１となっている。縦片２の引っ掛け片２７の前後である両側には切り起こしにて位置決め突片２９を形成してあり、位置決め突片２９を切り起こした開口部分が差し込み溝７としてある。本例の場合、横片１の下に延出部４６を設けてあり、この延出部４６の前後にも位置決め突片２９を設けてある。
【００１５】
棚受け具３は支柱１９の適宜高さ位置に配置され、図７に示すように引っ掛け片２７を挿通穴２４に挿通して引っ掛け片２７を穴縁に係合することで取り付けられる。このように棚受け具３を取り付けた時、突起２８が凹溝２３に嵌合され、位置決め突片２９が位置決め溝２５に挿入される。このとき、引っ掛け片２７の引っ掛け係合に加えて両側の上下の位置決め突片２９の位置決め溝２５への挿入係止にて５点で止められ、棚受け具３ががたつかないように安定よく取り付けられる。またこのとき、突起２８が凹溝２３に嵌合するとこの部分でも固定されて棚受け具３の固定が一層安定する。このように棚受け具３を取り付けた後、支柱１９間に棚板４が架設され、棚板４の長手方向の両端が棚受け具３の横片１の上に載せられて棚板４が支持される。このとき棚受け具３の横片１の上にはクッション材６を装着してあり、クッション材６を介して棚板４を載置してある。
【００１６】
棚板４を架設した後に棚受け具３に取り付けて棚板４を支持する棚押さえ具５は図４、図８に示すように構成されている。棚押さえ具５の本体板３０の下部には押さえ片部３１を長手方向に亙って一体に設けてあり、本体板３０の上部には持ち手部９を長手方向に亙って一体に設けてあり、本体板３０の長手方向の両端には差し込み部８を一体に設けてある。差し込み部８は本体板３０の両端の上部側方に突出するように設けてあり、この差し込み部８を棚受け具３の縦片２の差し込み溝７に差し込むことができるようになっている。この差し込み部８の下端には差し込み部８を差し込み溝７に差し込みやすくするための面取り３２を設けてある。また本体板３０の背面には縦片２の差し込み溝７間の部分が嵌り込む凹所３３を形成してある。この凹所３３内には微細な突条３４を上下方向に亙って突設してある。
【００１７】
棚板４の両端を棚受け具３の横片１の上に載置した後、縦片２の上に棚押さえ具５を配置して差し込み部８と差し込み溝７を対応させ、棚押さえ具５を下にスライドさせて差し込み溝７に差し込み部８を差し込んで棚押さえ具５を縦片２に装着する。すると、差し込み部８が差し込み溝７の近傍で縦片２の背面に係止し、凹所３３に縦片２の差し込み溝７間が嵌り込み、棚押さえ具５が縦片２に弾性的に係止されて取り付けられる。このように棚押さえ具３を取り付けると、棚押さえ具３の押さえ片部３１で棚板４が押さえられて棚板４が外れないように取り付けられる。また棚押さえ具５の持ち手部９を手で持って棚押さえ具５を上にスライドさせると棚押さえ具５を上に容易に取り外すことができる。
【００１８】
また図９、図１０は棚押さえ具５の他の例を示す。本例の場合、棚押さえ具５の本体板３０の長手方向にの両端には本体板３０に対して直交する側板部３５を一体に設けてあり、側板部３５の外面には凹凸面３６を設けてあり、この凹凸面３６の部分を指掛け部１０にしてある。本体板３０の長手方向の両端には差し込み部８を一体に設けてある。棚受け具３の本体板３０の背面には縦片２の差し込み溝７間の部分が嵌り込む凹所３３を形成してあり、この凹所３３内には微細な突条３４を上下方向に亙って突設してある。
【００１９】
この棚押さえ具５も、棚板４の両端を棚受け具３の横片１の上に載置した後に縦片２の上に配置し、差し込み部８と差し込み溝７とを対応させ、棚押さえ具５を下にスライドさせて差し込み溝７に差し込み部８を差し込んで棚押さえ具５を図１１に示すように縦片２に装着する。また指掛け部１０に指を掛けることで棚押さえ具５を掴んで棚押さえ具５を上に引っ張ることで棚押さえ具５を上に持ち上げて棚押さえ具５を取り外すことができる。
【００２０】
また図１２、図１３、図１４は棚押さえ具５の他の例を示す。本例の場合も、棚押さえ具５の本体板３０の下部には押さえ片部３１を長手方向に亙って一体に設けてあり、本体板３０の長手方向の両端には差し込み部８を一体に設けてある。棚受け具３の本体板３０の背面には縦片２の差し込み溝７間の部分が嵌り込む凹所３３を形成してある。本体板３０の中央には本体板３０と遊離した略矩形状の可動板３８を設けてあり、この可動板３８の両端の上下方向の中央の位置が連結片部３９にて本体板３０と一体に繋がっている。この連結片部３９のある位置と対応する部分に水平方向に軸部４０を設けてあり、可動板３８が軸部４０を中心に回動可能になっている。軸部４０より上の位置で可動板３８の背面には係止突起１２が設けてあり、可動板３８の軸部４０より下の部分が操作片１３となっており、操作片１３を操作することで係止突起１２の係脱を操作できるようになっている。操作片１３の表面側に微細凹凸部４１を設けてあり、操作片１３の背面側には補強リブ４２を設けてある。
【００２１】
この棚押さえ具５も、棚板４の両端を棚受け具３の横片１の上に載置した後に縦片２の上に配置し、差し込み部８と差し込み溝７とを対応させ、棚押さえ具５を下にスライドさせて差し込み溝７に差し込み部８を差し込んで棚押さえ具５を縦片２に装着する。本例の場合、棚押さえ具５を縦片２に装着すると、係止突起１２が図１５（ａ）に示すように縦片２の係止穴１１に係止し、棚押さえ具５が外れないように縦片２に取り付けられて棚板４が確実に取り付けられる。棚押さえ具５を取り外す場合、操作片１３を指で押して図１５（ｂ）に示すように係止突起１２を係止穴１１から外し、棚押さえ具５を上に抜き取る。
【００２２】
【発明の効果】
本発明の請求項１の発明は、横片と縦片とを有する断面略Ｌ字状の棚受け具を左右に所定の間隔を隔てて対称に設置し、左右の棚受け具間に棚板を架設して棚板の長手方向の両端を棚受け具の横片の上に載置し、棚受け具の縦片に棚押さえ具を着脱自在に取着して棚押さえ具にて棚板の上面を押圧しているので、棚押さえ具を棚受け具の縦片に装着するだけで棚板を押さえて棚板を簡単に固定できて棚板のずれや外れを防止できるものであり、また棚押さえ具を縦片に着脱自在に装着して簡単な構造で棚板を取り付けることができるために棚押さえ具の着脱だけで棚板の位置変更が容易にできるものである。
【００２３】
また本発明の請求項２の発明は、請求項１において、棚板と棚受け具の横片との間にクッション材を介装したので、クッション材により棚板ががたつかないように棚板を取り付けることができるものである。
【００２４】
また本発明の請求項３の発明は、請求項１または請求項２において、棚受け具の縦片に上端から差し込み溝を設けると共に棚押さえ具の差し込み部を差し込み溝に差し込んで装着しているので、差し込み溝に差し込み部を差し込むだけ棚押さえ具を縦片に装着することができ、棚受け具の着脱が容易にできるものである。
【００２５】
また本発明の請求項４の発明は、請求項３において、棚押さえ具の差し込み部を差し込み溝に差し込んだり、差し込み溝から差し込み部を抜いたりするとき手で持つことができる持ち手部を棚押さえ具に一体に設けたので、持ち手部を手に持って棚押さえ具を容易に上下動させることができて棚押さえ具の着脱操作が容易にできるものである。
【００２６】
また本発明の請求項５の発明は、請求項３において、棚押さえ具の差し込み部を差し込み溝に差し込んだり、差し込み溝から差し込み部を抜いたりするとき指を掛けることができる指掛け部を棚押さえ具に設けたので、指掛け部に指を掛けて棚押さえ具を容易に持つことができ、棚押さえ具を容易に上下動させることができて棚押さえ具の着脱操作が容易にできるものである。
【００２７】
また本発明の請求項６の発明は、請求項３において、棚受け具の縦片に係止穴を設けると共に差し込み溝に差し込み部を差し込んだ状態で棚押さえ具の係止突起を係止穴に係止させたので、差し込み溝に差し込み部を差し込んで棚押さえ具を取り付けたとき、係止突起が係止穴に係止して棚押さえ具が固定されて棚板が一層ずれたり外れたりしないようにできるものであり、しかも押圧することで係止突起が係止穴から外れるように変形させることができる操作片を棚押さえ具に設けたので、上記のように棚押さえ具を固定できても操作片を押圧操作することで係止突起を係止穴から外して棚押さえ具を容易に取り外すことができるものである。
【図面の簡単な説明】
【図１】本発明の実施の形態の一例の要部を示す概略分解斜視図である。
【図２】同上の収納庫を示す一部省略斜視図である。
【図３】同上の収納庫の側面から見た断面図である。
【図４】同上の要部の分解斜視図である。
【図５】同上の棚受け具を示し、（ａ）は平面図、（ｂ）は正面図、（ｃ）は拡大側面図である。
【図６】（ａ）（ｂ）は同上の支柱に棚受け具を取り付ける動作を説明する側面図である。
【図７】同上の支柱に棚受け板を取り付けた状態の平面図である。
【図８】同上の棚押さえ具を示し、（ａ）は平面図、（ｂ）は正面図、（ｃ）は側面図、（ｄ）は背面図である。
【図９】同上の棚押さえ具の他の例を示す斜視図である。
【図１０】同上の棚押さえ具を示し、（ａ）は平面図、（ｂ）は正面図、（ｃ）は側面図、（ｄ）は背面図である。
【図１１】同上の棚押さえ具を取り付けた状態を示し（ａ）は平面図、（ｂ）は背面図である。
【図１２】同上の他の例の分解斜視図である。
【図１３】同上の棚押さえ具の斜視図である。
【図１４】同上の棚押さえ具を示し、（ａ）は平面図、（ｂ）は正面図、（ｃ）は背面図である。
【図１５】（ａ）（ｂ）は同上の棚押さえ具を取り付けた状態を示す断面図である。
【符号の説明】
１　横片
２　縦片
３　棚受け具
４　棚板
５　棚押さえ具
６　クッション材
７　差し込み溝
８　差し込み部
９　持ち手部
１０　指掛け部
１１　係止穴
１２　係止突起
１３　操作片
【図１】
2004057407.tif 000003
【図２】
2004057407.tif 000004
【図３】
2004057407.tif 000005
【図４】
2004057407.tif 000006
【図５】
2004057407.tif 000007
【図６】
2004057407.tif 000008
【図７】
2004057407.tif 000009
【図８】
2004057407.tif 000010
【図９】
2004057407.tif 000011
【図１０】
2004057407.tif 000012
【図１１】
2004057407.tif 000013
【図１２】
2004057407.tif 000014
【図１３】
2004057407.tif 000015
【図１４】
2004057407.tif 000016
【図１５】
2004057407.tif 000017